(57)【要約】  より大きな収益を得るためにいつ生産設備を追加または変更すれば良いのかを示す情報を提供するために、製品を生産する総期間を所定間隔毎に区切った期間ごとに設備投資パターンを対応付けた設備投資シナリオを記憶する設備投資シナリオ記憶部を有し、選択する入力を受け付けた条件に対応する設備投資シナリオを設備投資シナリオ記憶部から取得し、取得した設備投資シナリオに基づき、期間と期間に対応する設備投資パターンと、を表示する。
2014109023.tif 000002
【特許請求の範囲】
【請求項１】
製品を生産する総期間を所定間隔毎に区切った期間ごとに設備投資パターンを対応付けた設備投資シナリオを記憶する設備投資シナリオ記憶部と、
選択する入力を受け付けた条件に対応する前記設備投資シナリオを前記設備投資シナリオ記憶部から取得し、取得した前記設備投資シナリオに基づき、前記期間ごとに対応する前記設備投資パターンを表示する表示部と、を有する、設備投資シナリオ提供装置。
【請求項２】
請求項１に記載の設備投資シナリオ提供装置において、
前記製品の前記期間ごとの生産計画と、前記期間ごとの前記設備投資パターンのコストとに基づき、前記期間ごとの収益を算出する収益計算処理部をさらに有する、設備投資シナリオ提供装置。
【請求項３】
請求項２に記載の設備投資シナリオ提供装置において、
前記表示部は、前記設備投資シナリオを構成する前記期間ごとの前記設備投資パターンの前記収益を合計した総収益の値が最も大きい前記設備投資シナリオを前記設備投資シナリオ別収益記憶部から取得する、設備投資シナリオ提供装置。
【請求項４】
請求項１に記載の設備投資シナリオ提供装置において、
前記設備投資パターンは、前記製品を生産する工程ごとの設備の名称を有し、
前記表示部は、取得した前記設備投資シナリオに基づき、前記工程にて新たに追加した前記設備の名称を表示するための領域を、他の前記工程の前記設備の名称を表示するための領域とは異なる態様で表示する、設備投資シナリオ提供装置。
【請求項５】
請求項２に記載の設備投資シナリオ提供装置において、
前記表示部は、取得した前記設備投資シナリオに基づき、前記期間と前記期間に対応する前記収益とを表示する、設備投資シナリオ提供装置。
【請求項６】
請求項３に記載の設備投資シナリオ提供装置において、
前記表示部は、外部装置から受信した為替情報と、前記設備投資シナリオ別収益記憶部から取得した前記総収益とに基づき縦軸を総収益、横軸を為替変動率とするグラフを表示する、設備投資シナリオ提供装置。
【請求項７】
請求項３に記載の設備投資シナリオ提供装置において、
前記表示部は、外部装置から受信した需要上昇率と、前記設備投資シナリオ別収益記憶部から取得した前記総収益とに基づき縦軸を総収益、横軸を需要上昇率とするグラフを表示する、設備投資シナリオ提供装置。
【請求項８】
請求項３に記載の設備投資シナリオ提供装置において、
拠点とコスト係数とを対応付けて記憶する生産拠点記憶部と、
前記設備投資シナリオと、この設備投資シナリオで運用した場合の前記総期間内の総コストと、を対応付けて記憶する設備投資シナリオ別コスト記憶部と、をさらに有し、
前記表示部は、前記生産拠点記憶部から取得した前記拠点と前記コスト係数と、前記設備投資シナリオ別コスト記憶部から取得した前記総コストとに基づいて縦軸を総コスト、横軸を需要上昇率とするグラフを表示する、設備投資シナリオ提供装置。
【請求項９】
表示部により、選択する入力を受け付けた条件に対応する設備投資シナリオを設備投資シナリオ記憶部から取得し、前記表示部により、取得した前記設備投資シナリオに基づき、期間と前記期間に対応する設備投資パターンとを表示する表示ステップを有する、設備投資シナリオ提供方法。
【請求項１０】
請求項９に記載の設備投資シナリオ提供方法において、
収益計算処理部により、生産計画記憶部から取得した前記製品の前記期間ごとの生産計画と、設備情報記憶部から取得した前記期間ごとの前記設備投資パターンのコストとに基づき、前記期間ごとの収益を算出する収益算出ステップをさらに有する、設備投資シナリオ提供方法。
【請求項１１】
請求項１０に記載の設備投資シナリオ提供方法において、
前記表示ステップでは、前記表示部により、前記期間ごとの前記収益を合計した総収益の値が最も大きい前記設備投資シナリオを設備投資シナリオ別収益記憶部から取得する、設備投資シナリオ提供方法。
【請求項１２】
請求項９に記載の設備投資シナリオ提供方法において、
前記表示ステップでは、前記表示部により、取得した前記設備投資シナリオに基づき、工程にて新たに追加した設備の名称を表示するための領域を、他の前記工程の前記設備の名称を表示するための領域とは異なる態様で表示する、設備投資シナリオ提供方法。
【請求項１３】
請求項１０に記載の設備投資シナリオ提供方法において、
前記表示ステップでは、前記表示部により、取得した前記設備投資シナリオに基づき、前記期間と前記期間に対応する前記収益とを表示する、設備投資シナリオ提供方法。
【発明の詳細な説明】
【技術分野】
【０００１】
本発明は、設備投資シナリオ提供装置および方法に関する。
【背景技術】
【０００２】
本技術分野の背景技術として、例えば、特開２００４−２８０７１９号公報（特許文献１）がある。この公報には、「入力された工程情報に対応する工程モデルを選択するための選択ルール、および工程情報に含まれるデータを工程モデルが持つ属性に代入する代入ルールを含むルール群を記憶したルールデータベース、複数のメンバを接続して表されると共に属性によって分類された工程モデルを複数個記憶した事例データベース、に基づいて、モデル合成部において、入力された工程情報に対応する工程モデルを選択し、かつ工程情報に含まれるデータを工程モデルが持つ属性に代入する処理を行ってシミュレーションモデルを生成する。」と記載がある。
【先行技術文献】
【特許文献】
【０００３】
【特許文献１】特開２００４−２８０７１９号公報
【発明の概要】
【発明が解決しようとする課題】
【０００４】
特許文献１に記載された技術では、より大きな収益を得るために、いつ生産設備を追加または変更すれば良いのかを示す情報を提供できない。【０００５】
本発明の目的は、より大きな収益を得るために、いつ生産設備を追加または変更すれば良いのかを示す情報を提供することである。
【課題を解決するための手段】
【０００６】
本願において開示される発明のうち、代表的なものの概要を簡単に説明すれば、次の通りである。【０００７】
本発明の一実施の形態は、製品を生産する総期間を所定間隔毎に区切った期間ごとに設備投資パターンを対応付けた設備投資シナリオを記憶する設備投資シナリオ記憶部を有する。そして、選択する入力を受け付けた条件（例えば、「総収益が最大」）に対応する前記設備投資シナリオを前記設備投資シナリオ記憶部から取得し、取得した前記設備投資シナリオに基づき、前記期間と前記期間に対応する前記設備投資パターンとを表示する表示部を有する。【０００８】
また、他の実施の形態は、表示部により、選択する入力を受け付けた条件に対応する設備投資シナリオを設備投資シナリオ記憶部から取得する。そして、前記表示部により、取得した前記設備投資シナリオに基づき、期間と前記期間に対応する設備投資パターンとを表示する表示ステップを有する。
【発明の効果】
【０００９】
本発明の一実施の形態によれば、より大きな収益を得るために、いつ生産設備を追加または変更すれば良いのかを示す情報を提供できるようになる。
【図面の簡単な説明】
【００１０】
【図１】本発明の一実施の形態における、設備投資シナリオ提供装置の構成例の概要を示す図である。
【図２】図１の設備投資シナリオ提供装置において、生産計画記憶部が記憶する生産計画情報の構成例を示す図である。
【図３】図１の設備投資シナリオ提供装置において、工程情報記憶部が記憶するテーブルの構成例を示す図である。
【図４】図１の設備投資シナリオ提供装置において、設備情報記憶部が記憶するテーブルの構成例を示す図である。
【図５】図１の設備投資シナリオ提供装置において、設備投資パターン記憶部が記憶するテーブルの構成例を示す図である。
【図６】図１の設備投資シナリオ提供装置において、生産拠点記憶部が記憶するテーブルの構成例を示す図である。
【図７】図１の設備投資シナリオ提供装置において、生産能力結果記憶部が記憶するテーブルの構成例を示す図である。
【図８】図１の設備投資シナリオ提供装置において、設備投資シナリオ記憶部が記憶する設備投資シナリオの構成例を示す図である。
【図９】図１の設備投資シナリオ提供装置において、設備投資シナリオ別コスト記憶部が記憶するテーブルの構成例を示す図である。
【図１０】図１の設備投資シナリオ提供装置において、設備投資シナリオ別収益記憶部が記憶するテーブルの構成例を示す図である。
【図１１】図１の設備投資シナリオ提供装置において、全体処理の処理フローを示す図である。
【図１２】図１の設備投資シナリオ提供装置において、設備投資パターン生成処理の処理フローを示す図である。
【図１３】図１の設備投資シナリオ提供装置において、設備投資シナリオ生成処理の処理フローを示す図である。
【図１４】図１の設備投資シナリオ提供装置において、収益算出処理の処理フローを示す図である。
【図１５】図１４に続く収益算出処理の処理フローを示す図である。
【図１６】図１の設備投資シナリオ提供装置において、設備投資シナリオ表示画面の例を示す図である。
【図１７】図１の設備投資シナリオ提供装置において、期間別収益表示画面の例を示す図である。
【図１８】図１の設備投資シナリオ提供装置において、設備投資シナリオ収益表示画面の例を示す図である。
【図１９】図１の設備投資シナリオ提供装置において、為替変動率シナリオ表示画面の例を示す図である。
【図２０】図１の設備投資シナリオ提供装置において、需要上昇率シナリオ表示画面の例を示す図である。
【図２１】図１の設備投資シナリオ提供装置において、需要上昇率販売値表示画面の例を示す図である。
【図２２】図１の設備投資シナリオ提供装置において、エントリー画面の例を示す図である。
【図２３】図１の設備投資シナリオ提供装置において、設備情報入力画面の例を示す図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
【００１２】
＜システム構成＞
図１は、本発明の一実施の形態における、設備投資シナリオ提供装置１１０の構成例の概要を示す図である。図１において、設備投資シナリオ提供装置１１０は、所定のハードウェアおよびソフトウェアにより実装される。例えば、設備投資シナリオ提供装置１１０は、プロセッサやメモリなどを有し、プロセッサによるメモリ上のプログラムの実行により、設備投資シナリオ提供装置１１０のコンピュータを機能させる。
【００１３】
また、設備投資シナリオ提供装置１１０は、表示部１１３と、通信部１１４と、設備投資パターン生成部１１１３と、収益計算処理部１１１４と、設備投資シナリオ生成部１１１７と、生産計画記憶部１１５１と、工程情報記憶部１１５２と、設備情報記憶部１１５３と、設備投資パターン記憶部１１５４と、生産拠点記憶部１１５５と、生産能力結果記憶部１１５６と、設備投資シナリオ記憶部１１５７と、設備投資シナリオ別収益記憶部１１５８と、設備投資シナリオ別コスト記憶部１１５９とを有する。
【００１４】
設備投資パターン生成部１１１３は、工程ごとの運用する設備の名称を記憶した設備投資パターンを生成する。そして、設備投資パターン生成部１１１３は、生成した設備投資パターンを設備投資パターン記憶部１１５４に記憶する。さらに、設備投資パターン生成部１１１３は、設備投資パターンごとの生産可能台数を算出する。そして、設備投資パターン生成部１１１３は、算出した生産可能台数と設備投資パターンと製品とを対応付けた生産能力結果を、生産能力結果記憶部１１５６に記憶する。
【００１５】
設備投資シナリオ生成部１１１７は、生産計画に基づく製品を生産する総期間を所定間隔毎に区切った期間ごとに設備投資パターンを対応付けた設備投資シナリオを生成する。そして、設備投資シナリオ生成部１１１７は、生成した設備投資シナリオを設備投資シナリオ記憶部１１５７に記憶する。
【００１６】
収益計算処理部１１１４は、設備投資シナリオの各期間の収益を算出する。また、収益計算処理部１１１４は、設備投資シナリオの各期間のコストを算出する。さらに、収益計算処理部１１１４は、各期間について算出した収益を合計することで、総収益を算出する。また、収益計算処理部１１１４は、各期間について算出したコストを合計することで、総コストを算出する。さらに収益計算処理部１１１４は、算出した各期間の収益と総収益とを対応付けて、設備投資シナリオ別収益記憶部１１５８に記憶する。また、収益計算処理部１１１４は、算出した各期間のコストと総コストとを対応付けて、設備投資シナリオ別コスト記憶部１１５９に記憶する。
【００１７】
表示部１１３は、設定した条件に応じた設備投資シナリオを、設備投資シナリオ別収益記憶部１１５８から取得し図１６の設備投資シナリオ表示画面を表示する。また、表示部１１３はエントリー画面（後述、図２２）を表示する。そして、エントリー画面から項目を選択する入力を受け付けることで、表示部１１３は、対応する画面を表示する。
【００１８】
さらに、表示部１１３は、通信部１１４がネットワーク１０２を介して外部装置１００から受信した情報と、設備投資シナリオ別収益記憶部１１５８から取得する情報とに基づいて、為替変動率シナリオ表示画面（後述、図１９）や需要上昇率シナリオ表示画面（後述、図２０）や需要上昇率販売値表示画面（後述、図２１）を表示する。
【００１９】
＜テーブル構成＞
図２は、生産計画記憶部１１５１が記憶する生産計画情報の構成例を示す図である。生産計画記憶部１１５１は、[製品]、[期間番号]、[期間]、[数量]、[単価]などのデータ項目からなる生産計画情報を記憶する。[製品]は製品を識別するための製品名などの情報を示す。[期間]は製品を生産する期間を示す。なお、当該[期間]は、生産計画に基づいて製品を生産する総期間を所定間隔毎に区切ったものである。そして、製品を生産する総期間を区切る所定期間とは、１日単位、１週間単位、１ヵ月単位、四半期単位、一年単位などが該当する。[期間番号]は、[期間]ごとに割り振られる番号である。そして、対応する[期間]がいずれも現時点（つまり、本装置を使用時）よりも将来の期間である場合、最も現時点から直近の[期間]から小さい[期間番号]が割り振られる。 [数量]は該当期間内に製品を生産する数量の計画値を示す。[単価]は製品を販売する場合の１個あたりの価格を示す。
【００２０】
図３は、工程情報記憶部１１５２が記憶する工程情報の構成例を示す図である。工程情報記憶部１１５２は、[製品]、[工程順番]、[工程名称]などのデータ項目からなる工程情報を記憶する。[工程順番]は、工程の順番を示す。[工程名称]は、工程の名称を示す。
【００２１】
図４は、設備情報記憶部１１５３が記憶するテーブルの構成例を示す図である。設備情報記憶部１１５３が記憶するテーブルは、[製品]、[工程順番]、[設備ＮＯ]、[設備名称]、[初期コスト]、[運用コスト]、[ＭＴ]、[ＳＴ]などのデータ項目を有する。[設備ＮＯ]は、設備を識別するための番号を示す。[設備名称]は、設備の名称を示す。[初期コスト]、設備を設置、追加するのに必要な費用を示す。[運用コスト]は、設備を運用するのに必要な費用を示す。[ＭＴ]は、設備によって工程を処理するのに要する時間を示す。[ＳＴ]は、作業者によって工程を処理するのに要する時間を示す。
【００２２】
図５は、設備投資パターン記憶部１１５４が記憶するテーブルの構成例を示す図である。設備投資パターン記憶部１１５４は、[製品]と、設備投資パターンと、[設備投資パターン番号]とを対応付けて記憶する。より詳細には、設備投資パターン記憶部１１５４が記憶するテーブルは、[設備投資パターン番号]、[製品]、[工程順番１]、[工程順番２]、[工程順番３]、[工程順番４]、[工程順番５]などのデータ項目を記憶する。[設備投資パターン番号]は、設備投資パターンを識別するための番号を示す。設備投資パターンは、 [工程順番１]、[工程順番２]、[工程順番３]、[工程順番４]、[工程順番５]などのデータ項目からなり、工程順番ごとに対応する設備の名称を記憶する。
【００２３】
図６は、生産拠点記憶部１１５５が記憶するテーブルの構成例を示す図である。生産拠点記憶部１１５５が記憶するテーブルは、[拠点]、[コスト係数]などのデータ項目を有する。[拠点]は、設備が存在する地名を示す。[コスト係数]は、コストに乗算するための係数を示す。
【００２４】
図７は、生産能力結果記憶部１１５６が記憶するテーブルの構成例を示す図である。生産能力結果記憶部１１５６が記憶するテーブルは、[設備投資パターン番号]、[製品]、[生産可能台数]などのデータ項目からなる生産能力結果を記憶する。[生産可能台数]は[設備投資パターン番号]に対応する設備投資パターンによって工場を稼働した場合に、四半期の間に生産可能な製品の台数を示す。
【００２５】
図８は、設備投資シナリオ記憶部１１５７が記憶するテーブルの構成例を示す図である。設備投資シナリオ記憶部１１５７は、製品を生産する総期間を所定間隔毎に区切った期間ごとに設備投資パターンを対応付けた設備投資シナリオを、[シナリオ番号]と対応付けて記憶する。より詳細には、設備投資シナリオは、[製品]と [期間番号] などのデータ項目からなり、期間番号ごとに対応する設備投資パターンの設備投資パターン番号を記憶する。そして、[シナリオ番号]は、設備投資シナリオを識別するための番号を示す。
【００２６】
図９は、設備投資シナリオ別コスト記憶部１１５９が記憶するテーブルの構成例を示す図である。設備投資シナリオ別コスト記憶部１１５９が記憶するテーブルは、[シナリオ番号]と[製品]と各期間番号に対応する期間のコストと[総コスト]とを対応付けて記憶する。[総コスト]は、各期間について算出したコストを合計した値を記憶する。
【００２７】
図１０は、設備投資シナリオ別収益記憶部１１５８が記憶するテーブルの構成例を示す図である。設備投資シナリオ別収益記憶部１１５８が記憶するテーブルは、[シナリオ番号]と[製品]と各期間番号に対応する期間の収益と[総収益]とを対応付けて記憶する。[総収益]は、各期間について算出した収益を合計した値を記憶する。
【００２８】
＜全体処理＞
図１１は、本装置における全体処理の処理フローを示す図である。
【００２９】
まず、Ｓ１１０１にて、設備投資パターン生成処理（後述、図１２）を行い、工程ごとの運用する設備の名称を記憶した設備投資パターンを生成する。そして、当該処理が終了後、Ｓ１１０２へ進む。
【００３０】
次に、Ｓ１１０２にて、設備投資シナリオ生成処理（後述、図１３）を行い、製品を生産する総期間を所定間隔毎に区切った期間ごとにＳ１１０１にて生成した設備投資パターンを対応付けた設備投資シナリオを生成する。そして、当該処理が終了後、Ｓ１１０３へ進む。
【００３１】
次に、Ｓ１１０３にて、収益算出処理（後述、図１４）を行い、Ｓ１１０２にて生成した各設備投資シナリオに対して総収益などを算出する。そして、選択する入力を受け付けた条件に対応する設備投資シナリオを設備投資シナリオ記憶部から取得し、取得した設備投資シナリオに基づき、期間と期間に対応する設備投資パターンとを表示し、処理を終了する。
【００３２】
＜設備投資パターン生成処理＞
図１２は、本装置における設備投資パターン生成処理の処理フローを示す図である。
【００３３】
まず、Ｓ１２０１にて、表示部１１３は、図２３の設備情報入力画面を表示する。設備情報入力画面には、[工程順番]、[設備名称]、[初期コスト]、[運用コスト]、[ＭＴ]、[ＳＴ]のデータ項目からなる設備情報の入力を受け付けるためのテキストボックス１５０１を表示する。ユーザからすべてのテキストボックス１５０１への入力を受け付け後、「決定」ボタン１５０２への操作を受け付けると、テキストボックス１５０１に入力された設備情報は、設備情報記憶部１１５３に記憶される。
【００３４】
次に、Ｓ１２０２にて、設備投資パターン生成部１１１３は、初期値として予め設定されている製品名をキーに工程情報記憶部１１５２から対応する工程順番を取得する。また、設備投資パターン生成部１１１３は、取得した[工程順番]と[製品]とをキーに対応する[設備名称]を設備情報記憶部１１５３から取得する。
【００３５】
次に、Ｓ１２０３にて、設備投資パターン生成部１１１３は、Ｓ１２０２にて取得した[工程順番]と、[工程順番]に対応する[設備名称]とに基づき、設備投資パターンを生成する。
【００３６】
次に、Ｓ１２０４にて、設備投資パターン生成部１１１３は、Ｓ１２０３にて生成した設備投資パターンを設備投資パターン記憶部１１５４に記憶する。
【００３７】
次に、Ｓ１２０５にて、設備投資パターン生成部１１１３は、Ｓ１２０３にて生成した設備投資パターンごとの生産可能台数を算出する。設備投資パターンごとの生産可能台数を算出するために、設備投資パターン生成部１１１３は、設備投資パターンを構成する各[工程順番]と[設備名称]とをキーに設備情報記憶部１１５３から対応するＭＴまたはＳＴを取得する。そして、設備投資パターン生成部１１１３は、[工程順番]と、[工程順番]に対応するＭＴまたはＳＴと、該当期間の間に工場が稼働する時間とに基づき、各設備投資パターンの生産可能台数を算出する。
【００３８】
次に、Ｓ１２０６にて、設備投資パターン生成部１１１３は、Ｓ１２０５にて算出した生産可能台数と設備投資パターンと製品とを対応付けた生産能力結果を、生産能力結果記憶部１１５６に記憶する。
【００３９】
＜設備投資シナリオ生成処理＞
図１３は、本装置における設備投資シナリオ生成処理の処理フローを示す図である。
【００４０】
まず、Ｓ１３０１にて、設備投資シナリオ生成部１１１７は、生産計画記憶部１１５１を検索する[期間番号]として、「１」を設定する。
【００４１】
次に、Ｓ１３０２にて、設備投資シナリオ生成部１１１７は、[期間番号]と[製品]をキーに、生産計画記憶部１１５１を検索し、対応する[数量]を取得する。
【００４２】
次に、Ｓ１３０３にて、設備投資シナリオ生成部１１１７は、[製品]とＳ１３０２にて取得した[数量]以上の台数を生産可能なすべての[設備投資パターン番号]を生産能力結果記憶部１１５６から取得する（例えば、[数量]をキーに検索することで、当該[数量]を超える[生産可能台数]に対応する[設備投資パターン番号]を取得する）。
【００４３】
次に、Ｓ１３０４にて、設備投資シナリオ生成部１１１７は、[期間番号]をインクリメントする。
【００４４】
次に、Ｓ１３０５にて、設備投資シナリオ生成部１１１７は、すべての[期間番号]に対応する[設備投資パターン番号]を取得したか否かを判定する。設備投資シナリオ生成部１１１７が、すべての[期間番号]に対応する[設備投資パターン番号]を取得していないと判定する場合（Ｓ１３０５−Ｎｏ）、Ｓ１３０２へ進む。一方、設備投資シナリオ生成部１１１７が、すべての[期間番号]に対応する[設備投資パターン番号]を取得したと判定する場合（Ｓ１３０５−Ｙｅｓ）、Ｓ１３０６に進む。
【００４５】
次に、Ｓ１３０６にて、設備投資シナリオ生成部１１１７は、[期間番号]ごとの[設備投資パターン番号]同士を組み合わせることで、設備投資シナリオを生成する。そして、設備投資シナリオ生成部１１１７は、生成した各設備投資シナリオに[シナリオ番号]を割り振る。具体的には、[期間番号]が「１」の[設備投資パターン番号]が「１」「２」「７」であり、[期間番号]が「２」の[設備投資パターン番号]が「９」であり、[期間番号]が「３」の[設備投資パターン番号]が「８」であり、[期間番号]が「４」の[設備投資パターン番号]が「３０」「７０」「８０」である場合、設備投資シナリオ生成部１１１７は、[期間番号]ごとの[設備投資パターン番号]同士を組み合わせたシナリオ「１（期間番号＝１）、９（期間番号＝２）、８（期間番号＝３）、３０（期間番号＝４）」「１（期間番号＝１）、９（期間番号＝２）、８（期間番号＝３）、７０（期間番号＝４）」「１（期間番号＝１）、９（期間番号＝２）、８（期間番号＝３）、８０（期間番号＝４）」「２（期間番号＝１）、９（期間番号＝２）、８（期間番号＝３）、３０（期間番号＝４）」「２（期間番号＝１）、９（期間番号＝２）、８（期間番号＝３）、７０（期間番号＝４）」「２（期間番号＝１）、９（期間番号＝２）、８（期間番号＝３）、８０（期間番号＝４）」「７（期間番号＝１）、９（期間番号＝２）、８（期間番号＝３）、３０（期間番号＝４）」「７（期間番号＝１）、９（期間番号＝２）、８（期間番号＝３）、７０（期間番号＝４）」「７（期間番号＝１）、９（期間番号＝２）、８（期間番号＝３）、８０（期間番号＝４）」が生成される。そして、設備投資シナリオ生成部１１１７は、生成した各設備投資シナリオに、「１」〜「９」の[シナリオ番号]を割り振る。
【００４６】
次に、Ｓ１３０７にて、設備投資シナリオ生成部１１１７は、生成した設備投資シナリオと[シナリオ番号]とを対応付けて、設備投資シナリオ記憶部１１５７に記憶する。
【００４７】
＜収益算出処理＞
図１４、図１５は、本装置における収益算出処理の処理フローを示す図である。なお、図１５は、図１４に続く図である。
【００４８】
まず、Ｓ１４０１にて、収益計算処理部１１１４は、[製品]に対応する設備投資シナリオ記憶部１１５７から取得する設備投資シナリオの[シナリオ番号]として、「１」を設定する。
【００４９】
次に、Ｓ１４０２にて、収益計算処理部１１１４は、収益を計算する[期間番号]として、「１」を設定する。
【００５０】
次に、Ｓ１４０３とＳ１４０４にて、収益計算処理部１１１４は、設備投資シナリオ（この設備投資シナリオは、Ｓ１４０１にて取得した[シナリオ番号]に対応する）の対応する期間（この期間は、Ｓ１４０２にて取得した[期間番号]に対応する）の売上を算出する。
【００５１】
より詳細には、Ｓ１４０３にて、収益計算処理部１１１４は、[期間番号]と[製品]とに対応する[数量]と[単価]とを生産計画記憶部１１５１から取得する。そして、Ｓ１４０４にて、収益計算処理部１１１４は、Ｓ１４０３にて取得した[数量]に[単価]を乗算することで、設備投資シナリオの対応する期間の売上を算出する。
【００５２】
次に、Ｓ１４０５〜Ｓ１４０８にて、収益計算処理部１１１４は、設備投資シナリオ（この設備投資シナリオは、Ｓ１４０１にて取得した[シナリオ番号]に対応する）の対応する期間（この期間は、Ｓ１４０２にて取得した[期間番号]に対応する）のコストを算出する。
【００５３】
より詳細には、Ｓ１４０５にて、収益計算処理部１１１４は、[シナリオ番号]と[期間番号]とに対応する[設備投資パターン番号]を設備投資シナリオ記憶部１１５７から取得する。そして、Ｓ１４０６にて、収益計算処理部１１１４は、[製品]とＳ１４０５にて取得した[設備投資パターン番号]に対応する[工程順番１]、[工程順番２]、[工程順番３]、[工程順番４]、[工程順番５] などのデータ項目からなる設備投資パターンを設備投資パターン記憶部１１５４から取得する。そして、Ｓ１４０７にて、収益計算処理部１１１４は、[工程順番１]〜[工程順番５]の各工程にて運用する各[設備名称]に対応する各[初期コスト]と各[運用コスト]を設備情報記憶部１１５３から取得する。最後に、Ｓ１４０８にて、収益計算処理部１１１４は、取得したすべての各[初期コスト]と各[運用コスト]とを加算することで、[期間番号]に対応する期間のコストを算出する。
【００５４】
次に、Ｓ１４０９にて、収益計算処理部１１１４は、Ｓ１４０４にて算出した売上から、Ｓ１４０８にて算出したコストを減算することで、設備投資シナリオの対応する期間の収益を算出する。
【００５５】
次に、Ｓ１４１０にて、収益計算処理部１１１４は、[期間番号]をインクリメントする。
【００５６】
次に、Ｓ１４１１にて、収益計算処理部１１１４は、設備投資シナリオのすべての[期間番号]に対応する期間について収益を算出したか否かを判定する。収益計算処理部１１１４が、すべての[期間番号]に対応する期間について収益を算出していないと判定する場合（Ｓ１４１１−Ｎｏ）、Ｓ１４０５に進む。一方、収益計算処理部１１１４が、すべての[期間番号]に対応する期間について収益を算出したと判定する場合（Ｓ１４１１−Ｙｅｓ）、Ｓ１４１２に進む。
【００５７】
次に、Ｓ１４１２にて、収益計算処理部１１１４は、[シナリオ番号]をインクリメントする。
【００５８】
次に、Ｓ１４１３にて、収益計算処理部１１１４は、すべての[シナリオ番号]に対応する設備投資シナリオの各期間について収益を算出したか否かを判定する。収益計算処理部１１１４が、すべての[シナリオ番号]に対応する設備投資シナリオの各期間について収益を算出していないと判定する場合（Ｓ１４１３−Ｎｏ）、Ｓ１４０５に進む。一方、収益計算処理部１１１４が、すべての[シナリオ番号]に対応する設備投資シナリオの各期間について収益を算出したと判定する場合（Ｓ１４１３−Ｙｅｓ）、Ｓ１４１４に進む。
【００５９】
次に、Ｓ１４１４にて、収益計算処理部１１１４は、各期間について算出した収益を合計することで、総収益を算出する。また、収益計算処理部１１１４は、各期間について算出したコストを合計することで、総コストを算出する。
【００６０】
次に、Ｓ１４１５にて、収益計算処理部１１１４は、[製品]と[シナリオ番号]と[期間番号] に対応する期間の収益と[総収益]とを対応付けて、設備投資シナリオ別収益記憶部１１５８に記憶する。また、収益計算処理部１１１４は、製品]と[シナリオ番号]と[期間番号] に対応する期間のコストと[総コスト]とを対応付けて、設備投資シナリオ別コスト記憶部１１５９に記憶する。
【００６１】
次に、Ｓ１４１６にて、表示部１１３は、設定した条件に応じた設備投資シナリオを、設備投資シナリオ別収益記憶部１１５８から取得し図１６の設備投資シナリオ表示画面を表示する。
【００６２】
ここで、表示部１１３が表示する図１６の設備投資シナリオ表示画面では、表示部１１３は、表示する設備投資シナリオを指定するための条件を選択するためのリストボックス１６０１を表示する。表示部１１３は、リストボックス１６０１への入力を受け付けると、「総収益が最大」「毎年黒字」などの選択肢を上下に並べて表示する。そして、選択肢を選択するための入力を受け付けることで、対応する選択肢の選択を受け付ける。
【００６３】
その後、対応する選択肢の選択を受け付けた場合、表示部１１３は、選択を受け付けた選択肢に対応する条件で、設備投資シナリオ別収益記憶部１１５８を検索し、対応する[シナリオ番号]を取得する。そして、表示部１１３は、[シナリオ番号]に対応する [工程順番１]、[工程順番２]、[工程順番３]、[工程順番４]、[工程順番５] などのデータ項目からなる設備投資パターンを設備投資パターン記憶部１１５４から取得する。そして、取得した[期間番号]に対応する期間と、[工程順番１]、[工程順番２]、[工程順番３]、[工程順番４]、[工程順番５]に対応する工程にて運用する設備の名称を左右に並べて表示する。また、[期間番号]の順に各期間と、各期間に対応する各工程にて運用する設備の名称を上下に並べて表示する。さらに、工程にて新たに追加した設備の名称を表示するための領域を、他の工程の設備の名称を表示するための領域とは異なる態様で表示する。
【００６４】
なお、Ｓ１４１６にて、表示部１１３は、図１６の設備投資シナリオ表示画面を表示することに代えて、期間別収益表示画面（後述、図１７）、設備投資シナリオ収益表示画面（後述、図１８）、為替変動率シナリオ表示画面（後述、図１９）、需要上昇率シナリオ表示画面（後述、図２０）、需要上昇率販売値表示画面（後述、図２１）、エントリー画面（後述、図２２）のいずれかを表示するようにしても良い。
【００６５】
ここで、本発明の設備投資シナリオ提供装置および方法は、Ｓ１４０３〜Ｓ１４０９が、収益算出ステップに相当し、Ｓ１４１６が表示ステップに相当する。
【００６６】
＜応答画面例（１）：エントリー画面＞
図２２は、表示部１１３が表示するエントリー画面の例を示す図である。エントリー画面には、「設備投資シナリオ表示」、「期間別収益表示」、「設備投資シナリオ収益表示」、「為替変動率シナリオ表示」、「需要上昇率シナリオ表示」、「需要上昇率販売値表示」などの項目が表示される。
【００６７】
エントリー画面から項目を選択する入力を受け付けることで、表示部１１３は、対応する画面を表示する。
【００６８】
「設備投資シナリオ表示」の項目を選択する入力を受け付けた場合、表示部１１３は、設備投資シナリオ表示画面（前述、図１６）を表示する。「期間別収益表示」の項目を選択する入力を受け付けた場合、表示部１１３は、期間別収益表示画面（後述、図１７）を表示する。「設備投資シナリオ収益表示」の項目を選択する入力を受け付けた場合、表示部１１３は、設備投資シナリオ収益表示画面（後述、図１８）を表示する。「為替変動率シナリオ表示」の項目を選択する入力を受け付けた場合、表示部１１３は、為替変動率シナリオ表示画面（後述、図１９）を表示する。「需要上昇率シナリオ表示」の項目を選択する入力を受け付けた場合、表示部１１３は、需要上昇率シナリオ表示画面（後述、図２０）を表示する。「需要上昇率販売値表示」の項目を選択する入力を受け付けた場合、表示部１１３は、需要上昇率販売値表示画面（後述、図２１）を表示する。
【００６９】
＜応答画面例（２）：期間別収益表示画面＞
図１７は、表示部１１３が表示する期間別収益表示画面の例を示す図である。期間別収益表示画面では、表示部１１３は、表示する設備投資シナリオを指定するための条件を選択するためのリストボックス１７０１を表示する。表示部１１３は、リストボックス１７０１への入力を受け付けると、「総収益が最大」「毎年黒字」などの選択肢を上下に並べて表示する。そして、選択肢を選択するための入力を受け付けることで、対応する選択肢の選択を受け付ける。対応する選択肢の選択を受け付けた場合、表示部１１３は、選択を受け付けた選択肢に対応する条件で、設備投資シナリオ別収益記憶部１１５８を検索し、対応する[シナリオ番号]と[期間番号] に対応する期間の収益とを取得する。そして、[期間番号]の順に各期間を表示するとともに、各期間に対応する収益を表示する。
【００７０】
図１７の例では、リストボックス１７０１から「毎年黒字」という選択肢を選択するための入力を受け付けている。そして、表示部１１３は、[期間番号]に対応する期間の収益が毎年黒字である[シナリオ番号]が「１」と「２」のレコードそれぞれの[期間番号] に対応する期間の収益を、設備投資シナリオ別収益記憶部１１５８から取得する。そして、[期間番号]の順に各期間を表示するとともに、各期間に対応する[シナリオ番号]が「１」の各期間の収益と[シナリオ番号]が「２」の各期間の収益とを並べて表示する。
【００７１】
＜応答画面例（３）：設備投資シナリオ収益表示画面＞
図１８は、表示部１１３が表示する設備投資シナリオ収益表示画面の例を示す図である。設備投資シナリオ収益表示画面では、表示部１１３は、表示する設備投資シナリオを指定するための条件を選択するためのリストボックス１８０１を表示する。表示部１１３は、リストボックス１８０１への入力を受け付けると、「総収益が最大」「毎年黒字」などの選択肢を上下に並べて表示する。そして、選択肢を選択するための入力を受け付けることで、対応する選択肢の選択を受け付ける。対応する選択肢の選択を受け付けた場合、表示部１１３は、選択を受け付けた選択肢に対応する条件で、設備投資シナリオ別収益記憶部１１５８を検索し、対応する[シナリオ番号]と[製品]と[期間番号] に対応する期間の収益を取得するそして、表示部１１３は、[シナリオ番号]に対応する [工程順番１]、[工程順番２]、[工程順番３]、[工程順番４]、[工程順番５] などのデータ項目からなる設備投資パターンを設備投資パターン記憶部１１５４から取得する。そして、取得した[期間番号]に対応する期間と、[工程順番１]、[工程順番２]、[工程順番３]、[工程順番４]、[工程順番５]に対応する工程にて運用する設備の名称と、[期間番号] に対応する期間の収益とを左右に並べて表示する。また、[期間番号]の順に各期間と、各期間に対応する各工程にて運用する設備の名称を上下に並べて表示する。さらに、工程にて新たに追加した設備の名称を表示するための領域を、他の工程の設備の名称を表示するための領域とは異なる態様で表示するようにしてもよい。
【００７２】
＜応答画面例（４）：為替変動率シナリオ表示画面＞
図１９は、表示部１１３が表示する為替変動率シナリオ表示画面の例を示す図である。為替変動率シナリオ表示画面では、表示部１１３は、通信部１１４がネットワーク１０２を介して外部装置１００から受信した為替情報を取得する。そして、表示部１１３は、取得した為替情報と設備投資シナリオ別収益記憶部１１５８から取得する[シナリオ番号]と[総収益]とに基づいて、縦軸を総収益、横軸を為替変動率とするグラフを表示する。
【００７３】
＜応答画面例（５）：需要上昇率シナリオ表示画面＞
図２０は、表示部１１３が表示する需要上昇率シナリオ表示画面の例を示す図である。需要上昇率シナリオ表示画面では、表示部１１３は、通信部１１４がネットワーク１０２を介して外部装置１００から受信した需要上昇率を取得する。そして、表示部１１３は、取得した需要上昇率と、設備投資シナリオ別収益記憶部１１５８から取得する[シナリオ番号]と[総収益]とに基づいて、縦軸を総収益、横軸を需要上昇率とするグラフを表示する。
【００７４】
＜応答画面例（６）：需要上昇率販売値表示画面＞
図２１は、表示部１１３が表示する需要上昇率販売値表示画面の例を示す図である。需要上昇率販売値表示画面では、表示部１１３は、生産拠点記憶部１１５５から取得する [拠点]と[コスト係数]と、設備投資シナリオ別コスト記憶部１１５９から取得する[シナリオ番号]ごとの[総コスト]とに基づいて、縦軸を総コスト、横軸を需要上昇率とするグラフを表示する。
【００７５】
＜本実施の形態の効果＞
以上説明した本実施の形態における設備投資シナリオ提供装置１１０によれば、選択する入力を受け付けた条件に対応する設備投資シナリオを取得し、取得した設備投資シナリオに基づき、期間と期間に対応する設備投資パターンとを表示することで、より大きな収益を得るために、いつ生産設備を追加または変更すれば良いのかを示す情報を提供できるようになる。
【００７６】
また、製品の期間ごとの生産計画と、期間ごとの設備投資パターンのコストとに基づき、期間ごとの収益を算出することで、設備投資パターンを投資した場合の収益を生産計画に基づいて算出できるようになる。
【００７７】
また、総収益の値が最も大きい設備投資シナリオを取得し、取得した設備投資シナリオに基づき、期間と期間に対応する設備投資パターンとを表示することで、もっとも大きな収益を得るために、いつ生産設備を追加または変更すれば良いのかを示す情報を提供できるようになる。
【００７８】
また、工程にて新たに追加した設備の名称を表示するための領域を、他の工程の設備の名称を表示するための領域とは異なる態様で表示することで、より大きな収益を得るために、いつどの生産設備を追加または変更すれば良いのか視覚的に把握できるようになる。
【００７９】
また、取得した設備投資シナリオに基づき、期間と期間に対応する収益とを表示できるようになる。
【００８０】
また、取得した設備投資シナリオに基づき、期間と期間に対応する設備投資パターンと期間に対応する収益とを表示できるようになる。
【００８１】
また、外部装置から受信した為替情報と、設備投資シナリオ別収益記憶部から取得した総収益とに基づき縦軸を総収益、横軸を為替変動率とするグラフを表示できるようになる。
【００８２】
また、外部装置から受信した需要上昇率と、設備投資シナリオ別収益記憶部から取得した総収益とに基づき縦軸を総収益、横軸を需要上昇率とするグラフを表示できるようになる。
【００８３】
また、取得した拠点とコスト係数と、総コストとに基づいて縦軸を総コスト、横軸を需要上昇率とするグラフを表示できるようになる。
【００８４】
以上、本発明によってなされた発明を実施の形態に基づき具体的に説明したが、本発明は前記実施の形態に限定されるものではなく、その要旨を逸脱しない範囲で種々変更可能であることはいうまでもない。
【符号の説明】
【００８５】
１００    外部装置
１０２    ネットワーク
１１３    表示部
１１４    通信部
１１１３  設備投資パターン生成部
１１１４  収益計算処理部
１１１７  設備投資シナリオ生成部
１１５１  生産計画記憶部
１１５２  工程情報記憶部
１１５３  設備情報記憶部
１１５４  設備投資パターン記憶部
１１５５  生産拠点記憶部
１１５６  生産能力結果記憶部
１１５７  設備投資シナリオ記憶部
１１５８  設備投資シナリオ別収益記憶部
１１５９  設備投資シナリオ別コスト記憶部
１５０１  テキストボックス
１５０２  「決定」ボタン
１６０１  リストボックス
１７０１  リストボックス
１８０１  リストボックス
【図１】
2014109023.tif 000003
【図２】
2014109023.tif 000004
【図３】
2014109023.tif 000005
【図４】
2014109023.tif 000006
【図５】
2014109023.tif 000007
【図６】
2014109023.tif 000008
【図７】
2014109023.tif 000009
【図８】
2014109023.tif 000010
【図９】
2014109023.tif 000011
【図１０】
2014109023.tif 000012
【図１１】
2014109023.tif 000013
【図１２】
2014109023.tif 000014
【図１３】
2014109023.tif 000015
【図１４】
2014109023.tif 000016
【図１５】
2014109023.tif 000017
【図１６】
2014109023.tif 000018
【図１７】
2014109023.tif 000019
【図１８】
2014109023.tif 000020
【図２２】
2014109023.tif 000021
【図２３】
2014109023.tif 000022
【図１９】
2014109023.tif 000023
【図２０】
2014109023.tif 000024
【図２１】
2014109023.tif 000025
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
製品を生産する総期間を所定間隔毎に区切った期間ごとに設備投資パターンを対応付けた設備投資シナリオを記憶する設備投資シナリオ記憶部と、
選択する入力を受け付けた条件に対応する前記設備投資シナリオを前記設備投資シナリオ記憶部から取得し、取得した前記設備投資シナリオに基づき、前記期間ごとに対応する前記設備投資パターンを表示する表示部と、
前記製品の前記期間ごとの生産計画と、前記期間ごとの前記設備投資パターンのコストとに基づき、前記期間ごとの収益を算出する収益計算処理部と、
拠点とコスト係数とを対応付けて記憶する生産拠点記憶部と、
前記設備投資シナリオと、この設備投資シナリオで運用した場合の前記総期間内の総コストと、を対応付けて記憶する設備投資シナリオ別コスト記憶部と、
前記収益計算処理部が算出した前記期間ごとの収益と総収益とを対応付けて記憶する設備投資シナリオ別収益記憶部と、を有し、
前記表示部は、前記設備投資シナリオを構成する前記期間ごとの前記設備投資パターンの前記収益を合計した総収益の値が最も大きい前記設備投資シナリオを前記設備投資シナリオ別収益記憶部から取得し、前記生産拠点記憶部から取得した前記拠点と前記コスト係数と、前記設備投資シナリオ別コスト記憶部から取得した前記総コストとに基づいて縦軸を総コスト、横軸を需要上昇率とするグラフを表示する、設備投資シナリオ提供装置。
【請求項２】
請求項１に記載の設備投資シナリオ提供装置において、
前記設備投資パターンは、前記製品を生産する工程ごとの設備の名称を有し、
前記表示部は、取得した前記設備投資シナリオに基づき、前記工程にて新たに追加した前記設備の名称を表示するための領域を、他の前記工程の前記設備の名称を表示するための領域とは異なる態様で表示する、設備投資シナリオ提供装置。
【請求項３】
請求項１に記載の設備投資シナリオ提供装置において、
前記表示部は、取得した前記設備投資シナリオに基づき、前記期間と前記期間に対応する前記収益とを表示する、設備投資シナリオ提供装置。
【請求項４】
請求項１に記載の設備投資シナリオ提供装置において、
前記表示部は、外部装置から受信した為替情報と、前記設備投資シナリオ別収益記憶部から取得した前記総収益とに基づき縦軸を総収益、横軸を為替変動率とするグラフを表示する、設備投資シナリオ提供装置。
【請求項５】
請求項１に記載の設備投資シナリオ提供装置において、
前記表示部は、外部装置から受信した需要上昇率と、前記設備投資シナリオ別収益記憶部から取得した前記総収益とに基づき縦軸を総収益、横軸を需要上昇率とするグラフを表示する、設備投資シナリオ提供装置。
【請求項６】
表示部により、設備投資シナリオを構成する期間ごとの設備投資パターンの収益を合計した総収益の値が最も大きい設備投資シナリオを設備投資シナリオ別収益記憶部から取得し、生産拠点記憶部から取得した拠点とコスト係数と、設備投資シナリオ別コスト記憶部から取得した総コストとに基づいて縦軸を総コスト、横軸を需要上昇率とするグラフを表示する、表示ステップを有する、設備投資シナリオ提供方法。
【請求項７】
請求項６に記載の設備投資シナリオ提供方法において、
収益計算処理部により、生産計画記憶部から取得した製品の前記期間ごとの生産計画と、設備情報記憶部から取得した前記期間ごとの前記設備投資パターンのコストとに基づき、前記期間ごとの収益を算出する収益算出ステップをさらに有する、設備投資シナリオ提供方法。
【請求項８】
請求項６に記載の設備投資シナリオ提供方法において、
前記表示ステップでは、前記表示部により、取得した前記設備投資シナリオに基づき、工程にて新たに追加した設備の名称を表示するための領域を、他の前記工程の前記設備の名称を表示するための領域とは異なる態様で表示する、設備投資シナリオ提供方法。
【請求項９】
請求項７に記載の設備投資シナリオ提供方法において、
前記表示ステップでは、前記表示部により、取得した前記設備投資シナリオに基づき、前記期間と前記期間に対応する前記収益とを表示する、設備投資シナリオ提供方法。
【国際調査報告】
2014109023.tif 000026
2014109023.tif 000027